(57)【要約】【課題】現在の高齢化社会の中で介護が必要な人が増えている。できるだけ介護を受けないで済むようにするためには自らの健康管理はもちろん運動不足を養うための体力づくりは欠かせられない。しかしながら良いことは解っていても身体が弱れば続かないのが現実であり、日常の生活の中でいつでも手軽に使えるものがあれば便利である。【解決手段】日常茶飯事における運動不足の解消に座っていながら手足や背筋の運動が、食事の前後やテレビを見ながらでも可能であり、限られた運動ではあるが欠かさず持続できる。【選択図】図１
2007236838.tif 000002
【特許請求の範囲】
【請求項１】
座椅子に座った状態でぶら下がれるシステムと座椅子に足首からの牽引機能装置を組み備えたシステム。
【請求項２】
座椅子を横に倒せば寝ながらでも全身の牽引が可能で使い終わればそのまま座椅子になり、たためばコンパクトで手さげでも運べるシステム。
【発明の詳細な説明】
【技術分野】
【０００１】
本発明は座っていても横になってもぶら下がる様な状態に成るように電気または圧力の牽引装置を座椅子（家具の一部）に組み込み、日常生活の中で体力を養えるように利便性を留意し実用的にした。
【背景技術】
【０００２】
従来は立った状態で飛び付いてぶら下がる方法で高齢者や虚弱者には不向きであった。また牽引して足等を伸ばす運動などは家庭では殆どできなかった。
【発明の開示】
【発明が解決しようとする課題】
【０００３】
身体を動かすことに不自由な人や運動不足になりがちな人にも、居間等で気楽くに座ったり寝転んだ状態で手足や身体全体が伸びるのでそれを支える筋肉も発達すると考える。
【課題を解決するための手段】
【０００４】
課題の目的を達成するため本発明に係る請求項１に記載されているように座った状態でぶら下がれるように座椅子型にし、横になっていても使えるように牽引療法的な仕掛けにより足首から腰、背、腕に至るまで全身が伸びるので支える筋力が働く、それに座椅子型のために日常に手軽に使えて持続ができ運動不足の解消に繋がる。また持ち運びが簡単なことも特徴。
【発明の効果】
【０００５】
座椅子に兼用して健康の回復や増進のための機能を取り付けたもので特別なスペースもいらず手軽に置けて使えることから家庭用健康家具として普及するものと考える。
【発明を実施するための最良の形態】
【０００６】
本発明の実施の形態については図面を参照して具体的に説明する。
図１は本発明の体力増進健康座椅子の実施の形態を示すもので、９に座った状態で１にぶら下がることができる。また同姿勢で６で腰を締め足を投げ出せば１２の牽引装置の作用で１３の足首から牽引できる。
【０００７】
図２は本発明の体力増進健康座椅子の使用における実施の形態を示す平面図で、５の背もたれが７のリクライニング装置によって倒すことができ、横になっても全身を伸ばすことができる。また６の腰バンドを締めることによって上半身と下半身を１と１２別々に使用することも可能である。
【０００８】
図３は本発明の体力増進健康座椅子の機能部分をコンパクトに収納したもので、使用しないときは５と９のみの座椅子に変わり、移動の時には１も図のように収まり容易に運べることも利点である。
【図面の簡単な説明】
【０００９】
【図１】本発明に係る体力増進健康座椅子の実施の一形態を示す全体の側面図である。）
【図２】本発明に係る体力増進健康座椅子の実施の形態の一例を示す平面図である。
【図３】本発明に係る体力増進健康座椅子の一形態を示す斜視図である。
【符号の説明】
【００１０】
１    ぶら下がり用ハンドル
２    枕
３    調整ハンドル軸
４    上下調整台
５    背もたれ
６    固定用腰バンド
７    リクライニング装置
８    牽引調整ハンドル
９    座シート
１０    牽引機能装置台収納箱
１１    牽引装置台
１２    牽引機能装置
１３    固定用足首バンド
【図１】
2007236838.tif 000003
【図２】
2007236838.tif 000004
【図３】
2007236838.tif 000005
【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
座椅子（膝を立てず尻もちをつく椅子）に座った状態で背もたれの左右から出るハンドル（パイプ型）を回転させて上に引き上げることで高さが調整できて手でぶら下がることができる特徴を持つ体力増進健康座椅子。
【請求項２】
請求項１に記載のシステムにおいて座椅子（膝を立てず尻もちをつく椅子）に座って足首をバンド（紐状）で締めて牽引調整ハンドルで座シ−トの下の牽引機能装置を調整し背もたれを後ろに倒して仰向きに寝転ぶ状態でぶら下がり用ハンドルを持つことで手首から足首までの全身を伸ばすことができる特徴を持つ体力増進健康座椅子。
【手続補正２】
【補正対象書類名】明細書
【補正対象項目名】全文
【補正方法】変更
【補正の内容】
【発明の詳細な説明】
【技術分野】
【０００１】
本発明は座椅子(和式)に座っていても仰向けに寝転んでもぶら下がれる様な状態に成るように手で持つハンドルや電気又は圧力を利用した牽引装置を組み込み,日常生活の中で体力を養えるよう利便性に留意し実用的にした。
【背景技術】
【０００２】
従来のぶら下がり機は立った状態で飛びついてぶら下がる方法で高齢者や虚弱者には不向きのため.日常的な生活の中で.できるように身近な生活用具からヒントをつかみ.手と足の運動を座椅子(和式)に組み込んだ。
【発明の開示】
【発明が解決しようとする課題】
【０００３】
身体を動かすことに不自由な人や運動不足になりがちな人にも,居間等で気楽に座ったり寝転んだ状態で手足や身体全体が伸びるのでそれを支える筋肉も発達すると考え、特に高齢者の体力づくりに持続できるものと思う。
【課題を解決するための手段】
【０００４】
課題の目的を達成するため本発明に係る請求項に記載されているように座った状態でぶら下がれるように座椅子(和式)型にし,横になっても使えるように牽引療法的な仕掛けにより足首から腰,背,腕に至るまで全身が伸びるので支える筋力が働く,それに座椅子(和式)のため日常に気軽に使えて持続ができ、運動不足の解消に繋がる。また持ち運びが簡単なことも特徴。
【発明の効果】
【０００５】
座椅子(和式)に健康の回復や増進のための機能を取りつけて兼用したもので特別なスペ−スも要らず気軽に家庭に置けて使えることから家庭用健康家具として普及するものと考える。
【発明を実施するための最良の形態】
【０００６】
本発明の実施の形態については図面を参照して具体的に説明する。
図１は本発明の体力増進健康座椅子の実施の形態を示すもので座った状態で背もたれ５の左右から出るハンドルを持ってぶら下がることができる。また同姿勢で腰を締めて足を投げ出せば座シートの下の牽引装置による作用で足首から引っ張ることができるものである。先ず座椅子(和式)の背もたれ４の部分に収納されているぶら下がり用ハンドル１を調整ツマミ２で適当な高さに調整する。座椅子(和式)の座シ−ト８に座った状態でそのまま両手でぶら下がり用ハンドル１にぶら下がれば上半身専用として使える。また下半身だけに使うときは座シ−ト８に座った姿勢で牽引調整ハンドル７を使って牽引装置収納箱９から牽引装置台10を押し出す、次に固定用足首バンド12で足首を締めて固定する。続いて固定用腰バンド5で腰を締める,最後にもう一度牽引調整ハンドル7で牽引機能装置11を作動させ下半身を牽引する。
【０００７】
図２は本発明の体力増進健康座椅子の使用における実施の形態を示すもので仰向けで,横になって全身を伸ばしたいとき.先ず背もたれ４をリクライニング装置６によって背後に倒して固定する。次に固定用足首バンド12を締める.次に牽引調整ハンドル７で牽引力とタイマ−を合わせてぶら下がり用ハンドル１を握っていれば牽引装置の働きで全身を伸ばすことができる。また固定用腰バンド５を締めることによって上半身と下半身を別々に使用することも可能である。これは身体の一部に障害があるときに区別して使える。
【０００８】
図３は本発明の体力増進健康座椅子の使用における実施の形態を示す平面図で図２と同様、横になって身体を伸ばした状態である。固定用腰バンド５は左右両サイドから合わせて締める。
【０００９】
図４は本発明の体力増進健康座椅子の一形態を示すもので機能部分を収納して座椅子(和式)に変わった状態である。リクライニング装置６により背もたれ４の角度は自由に動き.座椅子用枕3は用途に合わせて回して使える。
【００１０】
図５は本発明の体力増進健康座椅子をコンパクトに収納した斜視図で使用しないときには移動が容易に運ぶことができる。
【図面の簡単な説明】
【００１１】
【図１】本発明に係る体力増進健康座椅子の実施の一形態を示す全体の側面図である。
【図２】本発明に係る体力増進健康座椅子の実施の一形態を示す平面図である。
【図３】本発明に係る体力増進健康座椅子の一形態を示す斜視図である。
【符号の説明】
【００１２】
1    ぶら下がり用ハンドル
2    調整ツマミ
3    座椅子用枕
・  背もたれ
5    固定用腰バンド
6    リクライニング装置
7    牽引調整ハンドル
8    座シ−ト
9    牽引装置収納箱
10    牽引装置台
11    牽引機能装置
12    固定用足首バンド